(57)【特許請求の範囲】
【請求項１】
撮像手段により撮像した撮影画像を画像記録手段に記録するカメラ装置において、
所定の撮影モードが設定されている期間中に、そのモードの設定日からの初日が算入された経過日数を示す栞画像を、前記撮像手段により撮像される一連の撮影画像と共に、その一連の撮影画像のうち相前後して撮像され互いに撮影日が異なる双方の撮影画像の間に位置して前記画像記録手段に記録させる記録制御手段と、
前記栞画像により示されるべき経過日数を、前記所定の撮影モードの設定日から、前記双方の撮影画像のうち後続する側の撮影画像の撮影日までの経過日数として取得する日数取得手段と
を備えたことを特徴とするカメラ装置。
【請求項２】
前記記録制御手段は、前記経過日数が「１」である栞画像を、前記所定の撮影モードが設定されている期間中に前記撮像手段により撮像される一連の撮影画像の直前に位置して前記画像記録手段に記録させることを特徴とする請求項１記載のカメラ装置。
【請求項３】
前記記録制御手段は、前記画像記録手段に新たな前記栞画像を記録させる際、当該栞画像により示される経過日数よりも少ない経過日数を示す他の栞画像の全てが前記画像記録手段に記録されているか否かを判断する判断手段を含むとともに、
この判断手段により前記他の栞画像の全てが記録されていないと判断された場合、欠落している経過日数を示す他の栞画像を前記新たな栞画像に先立ち前記画像記録手段に記録させる
ことを特徴とする請求項１又は２記載のカメラ装置。
【請求項４】
前記記録制御手段は、前記所定の撮影モードが設定されている期間中に、装置に電源が投入されることに伴い前記栞画像を前記画像記録手段に記録させることを特徴とする請求項１，２又は３記載のカメラ装置。
【請求項５】
前記記録制御手段は、前記所定の撮影モードが設定されている期間中に、前記双方の撮影画像のうち後続する側の撮影画像の撮影操作が行われることに伴い前記栞画像を前記画像記録手段に記録させることを特徴とする請求項１，２又は３記載のカメラ装置。
【請求項６】
前記記録制御手段が前記画像記録手段に記録させる栞画像を作成する画像作成手段を備えたことを特徴とする請求項１乃至６いずれか記載のカメラ装置。
【請求項７】
撮像手段により撮像した撮影画像を画像記録手段に記録するカメラ装置における画像記録方法であって、
所定の撮影モードが設定されている期間中に、新たな撮影日の撮影画像の前記画像記録手段への記録に先立って、前記所定の撮影モードの設定日からの初日が算入された前記新たな撮影日までの経過日数を示す栞画像を前記画像記録手段に記録させる工程を含むことを特徴とする画像記録方法。
【請求項８】
撮像手段により撮像した撮影画像を画像記録手段に記録するカメラ装置が有するコンピュータを、
所定の撮影モードが設定されている期間中に、そのモードの設定日からの初日が算入された経過日数を示す栞画像を、前記撮像手段により撮像される一連の撮影画像と共に、その一連の撮影画像のうち相前後して撮像され互いに撮影日が異なる双方の撮影画像の間に位置して前記画像記録手段に記録させる記録制御手段と、
前記栞画像により示されるべき経過日数を、前記所定の撮影モードの設定日から、前記双方の撮影画像のうち後続する側の撮影画像の撮影日までの経過日数として取得する日数取得手段と
して機能させるためのプログラム。
【請求項９】
撮像手段により撮像した撮影画像を画像記録手段に記録するカメラ装置において、
所定の撮影モードが設定されている期間中に前記画像記録手段に記録される一連の撮影画像のうち、先行して記録される撮影画像と撮影日が異なる特定の撮影画像に、当該撮影画像の撮影日までの、前記所定の撮影モードの設定日からの初日が算入された経過日数を当該特定の撮影画像から取得する際に用いられる経過日情報を付加する情報付加手段と、
この情報付加手段が前記特定の撮影画像に付加すべき経過日情報を取得する情報取得手段と、
前記画像記録手段に記録されている撮影画像を表示する画像表示手段と、
この画像表示手段による所定の再生モードでの前記撮影画像の表示に際し、表示対象の撮影画像が前記特定の撮影画像であるか否かを判別する判別手段と、
この判別手段により表示対象の撮影画像が前記特定の撮影画像であると判断された場合に、その特定の撮影画像に付加されている経過日情報を用いて前記経過日数を取得する日数取得手段と、
この日数取得手段により取得された経過日数を前記特定の撮影画像に先立ち前記画像表示手段に表示させる表示制御手段と
を備えたことを特徴とするカメラ装置。
【請求項１０】
前記情報付加手段が前記特定の撮影画像に付加する経過日情報は、撮影画像の撮影日までの、前記所定の撮影モードの設定日からの初日が算入された経過日数それ自体であることを特徴とする請求項９記載のカメラ装置。
【請求項１１】
前記表示制御手段は、前記特定の撮影画像に所定の画像処理を施す画像処理手段を含み、この画像処理手段による処理後の画像に、前記日数取得手段により取得された経過日数を重畳した栞画像を前記特定の撮影画像に先立ち前記画像表示手段に表示させることを特徴とする請求項９又は１０記載のカメラ装置。
【請求項１２】
撮像手段により撮像した撮影画像を画像記録手段に記録するカメラ装置における画像表示方法であって、
所定の撮影モードが設定されている期間中での撮影に際し、前記画像記録手段に記録される一連の撮影画像のうち、先行して記録される撮影画像と撮影日が異なる特定の撮影画像に、当該撮影画像の撮影日までの、前記所定の撮影モードの設定日からの初日が算入された経過日数を当該特定の撮影画像から取得する際に用いられる経過日情報を予め付加する工程と、
前記画像記録手段に記録される一連の撮影画像の表示に際して、表示対象の撮影画像が前記特定の撮影画像であるとき、その特定の撮影画像に付加されている経過日情報を用いて前記経過日数を取得する工程と、
取得した経過日数を前記特定の撮影画像に先立ち表示する工程と
を含むことを特徴とする画像表示方法。
【請求項１３】
撮像手段により撮像した撮影画像を画像記録手段に記録するカメラ装置が有するコンピュータを、
所定の撮影モードが設定されている期間中に前記画像記録手段に記録される一連の撮影画像のうち、先行して記録される撮影画像と撮影日が異なる特定の撮影画像に、当該撮影画像の撮影日までの、前記所定の撮影モードの設定日からの初日が算入された経過日数を当該特定の撮影画像から取得する際に用いられる経過日情報を付加する情報付加手段と、
この情報付加手段が前記特定の撮影画像に付加すべき経過日情報を取得する情報取得手段と、
前記画像記録手段に記録されている撮影画像の、画像表示手段による所定の再生モードでの表示に際し、表示対象の撮影画像が前記特定の撮影画像であるか否かを判別する判別手段と、
この判別手段により表示対象の撮影画像が前記特定の撮影画像であると判断された場合に、その特定の撮影画像に付加されている経過日情報を用いて前記経過日数を取得する日数取得手段と、
この日数取得手段により取得された経過日数を前記特定の撮影画像に先立ち前記画像表示手段に表示させる表示制御手段と
して機能させるためのプログラム。
【発明の詳細な説明】
【技術分野】
【０００１】
本発明は、カメラ装置、画像記録方法及び画像表示方法に関するものである。
【背景技術】
【０００２】
今日、ＣＣＤやＣＭＯＳセンサ等の撮像素子によって撮像した被写体の画像データをメモリーカード等の記録媒体に記録するデジタルカメラが一般に普及している。デジタルカメラで撮影された画像の日付、つまり撮影日は、画像ファイルが標準的な規格であるＥｘｉｆ形式に準拠するものであれば画像ファイル中に撮影情報として記録されたり、あるいは任意の画像中に「画像の一部」として重畳（合成）して記録されたりするのが一般的である。また、撮影された画像をカメラのモニタ上で再生するとき、画像ファイル内に記録されている撮影日を、撮影時刻や画像サイズ等の他の撮影情報と共に表示画像の所定の箇所に重畳して表示可能なものが一般的である。
【０００３】
そして、撮影された画像をカメラのモニタ上で再生するときには、それに撮影日が重畳されている場合には、それを単に表示だけで、また、撮影日が撮影情報として付加されている場合には、上記のように所定の箇所に重畳して表示させることにより、ユーザーがメモリーカード等に記録されている画像を見るとき、同時にその撮影日を知ることができることが可能となっている。
【０００４】
なお、撮影した画像に文字情報を重畳して表示させる技術に関しては、例えば下記特許文献１にも記載されている。
【特許文献１】特開２００３−１８９２１７号公報
【発明の開示】
【発明が解決しようとする課題】
【０００５】
しかしながら、上述した方法で撮影された画像の撮影日をユーザーに教える場合、撮影日を画像の一部に重畳して記録する方法では、いったん重畳した撮影日を、後で撮影画像から消去することができない。これは、撮影日を表示画像の所定の箇所に重畳して表示方法では問題はないが、かかる方法であっても日付等が常時表示されていると画像が見難くなる。係ることから画像の撮影日をユーザーに教えることができたとしても、例えばユーザーが、撮影日を確認しながら旅先等で撮影された一連の画像を見る際の利便性が未だ十分とはいえないという問題があった。
【０００６】
本発明は、かかる従来の実情に鑑みてなされたものであり、旅先等で撮影された一連の画像を表示するとき、それらの観賞を妨げることなく各画像の撮影日をユーザーに教えることが可能となるカメラ装置、画像記録方法及び画像表示方法を提供することを目的とする。
【課題を解決するための手段】
【０００７】
前記課題を解決するため請求項１の発明にあっては、撮像手段により撮像した撮影画像を画像記録手段に記録するカメラ装置において、所定の撮影モードが設定されている期間中に、そのモードの設定日からの初日が算入された経過日数を示す栞画像を、前記撮像手段により撮像される一連の撮影画像と共に、その一連の撮影画像のうち相前後して撮像され互いに撮影日が異なる双方の撮影画像の間に位置して前記画像記録手段に記録させる記録制御手段と、前記栞画像により示されるべき経過日数を、前記所定の撮影モードの設定日から、前記双方の撮影画像のうち後続する側の撮影画像の撮影日までの経過日数として取得する日数取得手段とを備えたものとした。
【０００８】
かかる構成においては、所定のモードが設定された状態で撮影が行われると、その間には、一連の撮影画像と共に、それらの中で先に記録された撮影画像とは撮影日が異なる撮影画像の直前に位置して、その撮影画像の撮影日を所定のモードの設定日からの初日が算入された経過日数として示す栞画像が自動的に挿入される。
【０００９】
また、請求項２の発明にあっては、前記記録制御手段は、前記経過日数が「１」である栞画像を、前記所定の撮影モードが設定されている期間中に前記撮像手段により撮像される一連の撮影画像の直前に位置して前記画像記録手段に記録させるものとした。
【００１０】
かかる構成においては、一連の撮影画像の先頭に、所定のモードが設定された日、つまり初日を示す栞画像を自動的に記録することができる。
【００１１】
また、請求項３の発明にあっては、前記記録制御手段は、前記画像記録手段に新たな前記栞画像を記録させる際、当該栞画像により示される経過日数よりも少ない経過日数を示す他の栞画像の全てが前記画像記録手段に記録されているか否かを判断する判断手段を含むとともに、この判断手段により前記他の栞画像の全てが記録されていないと判断された場合、欠落している経過日数を示す他の栞画像を前記新たな栞画像に先立ち前記画像記録手段に記録させるものとした。
【００１２】
かかる構成においては、一連の撮影画像の途中に、全ての経過日数の栞画像を欠落無く挿入することができる。
【００１３】
また、請求項４の発明にあっては、前記記録制御手段は、前記所定の撮影モードが設定されている期間中に、装置に電源が投入されることに伴い前記栞画像を前記画像記録手段に記録させるものとした。
【００１４】
また、請求項５の発明にあっては、前記記録制御手段は、前記所定の撮影モードが設定されている期間中に、前記双方の撮影画像のうち後続する側の撮影画像の撮影操作が行われることに伴い前記栞画像を前記画像記録手段に記録させるものとした。
【００１５】
また、請求項６の発明にあっては、前記記録制御手段が前記画像記録手段に記録させる栞画像を作成する画像作成手段を備えたものとした。
【００１６】
また、請求項７の発明にあっては、撮像手段により撮像した撮影画像を画像記録手段に記録するカメラ装置における画像記録方法であって、所定の撮影モードが設定されている期間中に、新たな撮影日の撮影画像の前記画像記録手段への記録に先立って、前記所定の撮影モードの設定日からの初日が算入された前記新たな撮影日までの経過日数を示す栞画像を前記画像記録手段に記録させる工程を含む方法とした。
【００１７】
かかる方法によれば、所定のモードが設定された状態で撮影が行われると、その間には、一連の撮影画像と共に、それらの中で先に記録された撮影画像とは撮影日が異なる撮影画像の直前に位置して、その撮影画像の撮影日を所定のモードの設定日からの初日が算入された経過日数として示す栞画像が自動的に挿入される。
【００１８】
また、請求項８の発明にあっては、撮像手段により撮像した撮影画像を画像記録手段に記録するカメラ装置が有するコンピュータを、所定の撮影モードが設定されている期間中に、そのモードの設定日からの初日が算入された経過日数を示す栞画像を、前記撮像手段により撮像される一連の撮影画像と共に、その一連の撮影画像のうち相前後して撮像され互いに撮影日が異なる双方の撮影画像の間に位置して前記画像記録手段に記録させる記録制御手段と、前記栞画像により示されるべき経過日数を、前記所定の撮影モードの設定日から、前記双方の撮影画像のうち後続する側の撮影画像の撮影日までの経過日数として取得する日数取得手段として機能させるためのプログラムとした。
【００１９】
また、請求項９の発明にあっては、撮像手段により撮像した撮影画像を画像記録手段に記録するカメラ装置において、所定の撮影モードが設定されている期間中に前記画像記録手段に記録される一連の撮影画像のうち、先行して記録される撮影画像と撮影日が異なる特定の撮影画像に、当該撮影画像の撮影日までの、前記所定の撮影モードの設定日からの初日が算入された経過日数を当該特定の撮影画像から取得する際に用いられる経過日情報を付加する情報付加手段と、この情報付加手段が前記特定の撮影画像に付加すべき経過日情報を取得する情報取得手段と、前記画像記録手段に記録されている撮影画像を表示する画像表示手段と、この画像表示手段による所定の再生モードでの前記撮影画像の表示に際し、表示対象の撮影画像が前記特定の撮影画像であるか否かを判別する判別手段と、この判別手段により表示対象の撮影画像が前記特定の撮影画像であると判断された場合に、その特定の撮影画像に付加されている経過日情報を用いて前記経過日数を取得する日数取得手段と、この日数取得手段により取得された経過日数を前記特定の撮影画像に先立ち前記画像表示手段に表示させる表示制御手段とを備えたものとした。
【００２０】
かかる構成においては、所定の撮影モードの設定期間中に撮影された一連の撮影画像を所定の再生モードで表示するとき、それらの中で先に記録された撮影画像とは撮影日が異なる撮影画像が表示される直前に、その撮影画像の撮影日を所定の撮影モードの設定日からの初日が算入された経過日が自動的に表示される。
【００２１】
また、請求項１０の発明にあっては、前記情報付加手段が前記特定の撮影画像に付加する経過日情報は、撮影画像の撮影日までの、前記所定の撮影モードの設定日からの初日が算入された経過日数それ自体であるものとした。
【００２２】
また、請求項１１の発明にあっては、前記表示制御手段は、前記特定の撮影画像に所定の画像処理を施す画像処理手段を含み、この画像処理手段による処理後の画像に、前記日数取得手段により取得された経過日数を重畳した栞画像を前記特定の撮影画像に先立ち前記画像表示手段に表示させるものとした。
【００２３】
また、請求項１２の発明にあっては、撮像手段により撮像した撮影画像を画像記録手段に記録するカメラ装置における画像表示方法であって、所定の撮影モードが設定されている期間中での撮影に際し、前記画像記録手段に記録される一連の撮影画像のうち、先行して記録される撮影画像と撮影日が異なる特定の撮影画像に、当該撮影画像の撮影日までの、前記所定の撮影モードの設定日からの初日が算入された経過日数を当該特定の撮影画像から取得する際に用いられる経過日情報を予め付加する工程と、前記画像記録手段に記録される一連の撮影画像の表示に際して、表示対象の撮影画像が前記特定の撮影画像であるとき、その特定の撮影画像に付加されている経過日情報を用いて前記経過日数を取得する工程と、取得した経過日数を前記特定の撮影画像に先立ち表示する工程とを含む方法とした。
【００２４】
かかる方法によれば、所定の撮影モードの設定期間中に撮影された一連の撮影画像を所定の再生モードで表示するとき、それらの中で先に記録された撮影画像とは撮影日が異なる撮影画像が表示される直前に、その撮影画像の撮影日を所定の撮影モードの設定日からの初日が算入された経過日が自動的に表示される。
【００２５】
また、請求項１３の発明にあっては、撮像手段により撮像した撮影画像を画像記録手段に記録するカメラ装置が有するコンピュータを、所定の撮影モードが設定されている期間中に前記画像記録手段に記録される一連の撮影画像のうち、先行して記録される撮影画像と撮影日が異なる特定の撮影画像に、当該撮影画像の撮影日までの、前記所定の撮影モードの設定日からの初日が算入された経過日数を当該特定の撮影画像から取得する際に用いられる経過日情報を付加する情報付加手段と、この情報付加手段が前記特定の撮影画像に付加すべき経過日情報を取得する情報取得手段と、前記画像記録手段に記録されている撮影画像の、画像表示手段による所定の再生モードでの表示に際し、表示対象の撮影画像が前記特定の撮影画像であるか否かを判別する判別手段と、この判別手段により表示対象の撮影画像が前記特定の撮影画像であると判断された場合に、その特定の撮影画像に付加されている経過日情報を用いて前記経過日数を取得する日数取得手段と、この日数取得手段により取得された経過日数を前記特定の撮影画像に先立ち前記画像表示手段に表示させる表示制御手段として機能させるためのプログラムとした。
【発明の効果】
【００２６】
以上のように本発明においては、所定のモードが設定された状態で撮影が行われると、その間には、一連の撮影画像と共に、それらの中で先に記録された撮影画像とは撮影日が異なる撮影画像の直前に位置して、その撮影画像の撮影日を所定のモードの設定日からの初日が算入された経過日数として示す栞画像が自動的に挿入されるようにした。
【００２７】
よって、旅先等で撮影された一連の画像を表示するときには、その途中で表示される栞画像によって、それ以降に表示される画像が何日目に撮影されたのかを教えることができ、画像の観賞を妨げることなく各画像の撮影日をユーザーに教えることが可能となる。
【００２８】
また、一連の撮影画像の先頭に、所定のモードが設定された日、つまり初日を示す栞画像を自動的に記録することができるようにした。よって、旅先等で撮影された一連の画像を表示するとき、先頭の画像について、それを明示的に教えることができる。
【００２９】
また、一連の撮影画像の途中に、全ての経過日数の栞画像を欠落無く挿入することができるようにした。よって、旅先等で撮影された一連の画像を表示するとき、栞画像の欠落した場合により生ずる違和感を無くすことができる。
【００３０】
また、本発明においては、所定の撮影モードの設定期間中に撮影された一連の撮影画像を所定の再生モードで表示するとき、それらの中で先に記録された撮影画像とは撮影日が異なる撮影画像が表示される直前に、その撮影画像の撮影日を所定の撮影モードの設定日からの初日が算入された経過日が自動的に表示されるようにした。
【００３１】
よって、旅先等で撮影された一連の画像を表示するときには、その途中で表示される経過日によって、それ以降に表示される画像が何日目に撮影されたのかを教えることができ、画像の観賞を妨げることなく各画像の撮影日をユーザーに教えることが可能となる。
【発明を実施するための最良の形態】
【００３２】
以下、本発明の一実施の形態を図にしたがって説明する。
（実施形態１）
図１は、各実施の形態二共通する本発明に係るデジタルカメラ１のブロック図である。このデジタルカメラ１はＡＥ（自動露出）機能等の一般的な機能を備えたものであって、以下の構成を備えている。
【００３３】
すなわちデジタルカメラ１は、システムの全体の制御を行うＣＰＵ２と、光学系３により感光部に結像された被写体の光学像に応じたアナログの撮像信号を出力する撮像手段であるＣＣＤ４を備えている。
【００３４】
ＣＣＤ４はＴＧ（Timing Generator）５により所定の周期で走査駆動され、被写体の光学像を光電変換し、光の強さに応じた画素信号からなるアナログの撮像信号をアナログ処理部６に出力する。また、ＣＣＤ４はＣＰＵ２から送られるシャッターパルスに応じ電荷蓄積時間を制御されることにより電子シャッターとして機能する。
【００３５】
前記アナログ処理部６は、ＣＣＤ４から入力した撮像信号に含まれるノイズを除去するＣＤＳ（Correlated Double Sampling：相関二重サンプリング回路）と、ＣＤＳを経た撮像信号を増幅するアナログアンプであるＡＧＣ（ゲイン調整アンプ）と、ＡＧＣで増幅され調整されたアナログの撮像信号をデジタル信号に変換するＡＤ（Ａ／Ｄ変換器）とからなり、デジタルデータ化した撮像信号をＣＰＵ２に出力する。
【００３６】
ＣＰＵ２は、画像データの圧縮・伸張を含む各種のデジタル信号処理機能を備えており、アナログ処理部６から出力された撮像信号をアドレス・データバス７を介して順次ＤＲＡＭ８に送り、ＤＲＡＭ８内に画像データとして蓄積する。また、ＤＲＡＭ８に蓄積された画像データを所定の画像処理ブロック単位で読み出し、Ｒ，Ｇ，Ｂ毎のデジタルの画像データを生成した後、輝度（Ｙ）成分、及び色差（Ｃｂ，Ｃｒ）成分からなる画像データ（ＹＵＶデータ）へ変換し、さらに変換後の画像データに基づきビデオ信号を生成して後述する本発明の画像表示手段である液晶モニタ９へ送る。
【００３７】
また、ＣＰＵ２は、画像記録時においては画像処理ブロック単位の画像データ（ＹＵＶデータ）を所定の方式で圧縮符号化し、記録されている静止画像の再生時には伸張復号化する。撮影時に圧縮符号化された画像データは、最終的には、それに付随する各種の撮影情報（ファイルサイズや撮影日時等）からなるＥｘｉｆ規格等の画像ファイルとして内蔵フラッシュメモリ１０や、カードインターフェース（カードＩ／Ｆ）１１を介して着脱自在な各種のメモリーカード１２（記録媒体）に記録される。
【００３８】
前記液晶モニタ９、記録モードにおいて所定のフレーム周期で更新される被写体画像をスルー画像として表示したり、再生モードにおいてメモリーカード１２から読み出され伸張復号化された静止画像を表示したりする。また、液晶モニタ９は、必要に応じて操作補助用の各種のメニュー画面や、記録画像サイズの設定用等の種々の設定画面やメッセージ、また、記録モードでは撮影情報等も表示する。
【００３９】
キー入力部１３は、前記記録モードや前記再生モード等の各種モードの設定に使用されるモード設定スイッチ、シャッターキー、液晶モニタ９に前述した各種のメニュー画面や種々の設定画面を表示させるためのメニューキー、設定操作に用いられる４方向キーや、実行（セット）スイッチなどの各スイッチ類により構成され、ユーザーによるキー操作に応じた操作信号をＣＰＵ２に送る。時計部１４は日付及び時刻をカウントとするとともに、撮影時等に必要に応じて日付データ及び時刻データをＣＰＵ２へ送る。
【００４０】
一方、前記内蔵フラッシュメモリ１０には、前述した圧縮後の画像データを記憶するための画像記憶領域とは別にプログラム領域が確保されている。プログラム領域には、ＣＰＵ２に画像データの圧縮・伸張や、色調整を含む各種の画像信号処理や、ＡＥ（自動露出）制御等を行わせるための各種プログラム、及びそれらのプログラムに基づく動作に必要な各種データが記憶されている。特に本実施の形態においては、記録モードが設定されているとき、必要に応じてＣＰＵ２に後述する動作を行わせることにより、ＣＰＵ２を本発明の記録制御手段、日数取得手段、判断手段、画像作成手段として機能させるためのプログラムが記憶されている。
【００４１】
なお、内蔵フラッシュメモリ１０のプログラム領域には、上記プログラムやデータ以外にも、手動または自動で設定されたシステムやデジタルカメラ１が有する各種の機能に関する設定データが更新可能に記憶されている。
【００４２】
次に、以上の構成からなるデジタルカメラ１の動作について説明する。図２は、電源投入に伴いＣＰＵ２が実行する本発明に係る処理の内容を示したフローチャートである。ＣＰＵ２は電源が投入されると、まずその時点で旅行モードがオン設定されているか否かを確認する（ステップＳＡ１）。旅行モードは、ユーザーが必要に応じてその使用をオンオフ設定可能なモードであって、例えば旅行中での使用を意図して設けられているモードである。そして、旅行モードがオン設定されていない場合には（ステップＳＡ１でＮＯ）、以下の処理に移行する。
【００４３】
すなわちユーザーの所定のキー操作によって旅行モードが設定されたか否かを確認し、旅行モードの設定操作がなければ（ステップＳＡ２でＮＯ）、電源オフとなるまでは（ステップＳＡ３でＮＯ）、ＳＡ２の判断を繰り返す。なお、その間には他の処理が行われる。その後、いずれかの時点で旅行モードが設定されたら（ステップＳＡ２でＹＥＳ）、まず、時計部１４に保持されている現在の日付を取得し、その日付データを初日情報として設定する。すなわち内蔵フラッシュメモリ１０のプログラム領域にその他の設定データと共に記憶する（ステップＳＡ４）。しかる後、初日（１日目）を示す栞（しおり）画像Ｇ１（図３参照）の画像データを作成し、それを通常の撮影画像と同様に、メモリーカード１２に記録し（ステップＳＡ５）、処理を終了する。
【００４４】
一方、電源を投入した時点で、既に旅行モードがオン設定されていたときには（ステップＳＡ１でＹＥＳ）、時計部１４に保持されている現在の日付と、設定されている初日情報とに基づいて、初日を算入した今日現在の経過日（ｎ日目）を計算する（ステップＳＡ６）。次に、メモリーカード１２における、初日を除く昨日まで（２日目〜（ｎ−１）日目）の各日に撮影（記録）された画像の有無を確認する（ステップＳＡ７）。
【００４５】
ここで、上記各日について撮影された画像が存在する場合には（ステップＳＡ８でＮＯ）、直ちに今日現在の経過日（ｎ日目）を示す栞画像Ｇ２，Ｇ３（図３参照）を作成し、それを記録し（ステップＳＡ１０）、処理を終了する。逆に、画像の存在しない日がある場合には（ステップＳＡ８でＹＥＳ）、画像の存在しない各日について、先に各々の経過日を示す１又は複数の栞画像の画像データを作成し、それを通常の撮影画像と同様にメモリーカード１２に記録してから（ステップＳＡ９）、今日現在の経過日（ｎ日目）を示す栞画像を作成し記録する（ステップＳＡ１０）。
【００４６】
以上の処理により、例えば２日目以降に初めて電源が投入されたときには、その日の撮影が行われる以前の時点で、各々経過日（２日目、３日目、・・・）を示す栞画像が自動的に作成されて記録される。また、例えは２日目、３日目に電源が投入されず、４日目に電源が投入されたような場合には、４日目の電源投入時点で、２日目と３日目とをそれぞれ示す２枚の栞画像が、４日目を示す栞画像より先に自動的に作成されて記録される。つまり全ての経過日の栞画像が欠落させることなく作成され記録される。
【００４７】
係ることから、旅行の初日にユーザーが旅行モードを設定しておけば、メモリーカード１２には、図３に示したように、旅行中に撮影された複数枚の撮影画像Ｐの間であって、各日の最初に撮影された画像Ｐの直前位置に、その日における初日からの経過日を示す栞画像Ｇ２，Ｇ３を自動的に挿入して記録させることができる。
【００４８】
したがって、ユーザーが旅先等で撮影した一連の画像を見るとき、例えば一連の画像を、デジタルカメラ１の液晶モニタ９の画面上に、キー操作より順送りで表示させたり、あるいはスライドショー機能を用いて連続表示させたりするときには、表示画像の撮影日が切り替わる直前に表示される栞画像Ｇ２，Ｇ３によって、それ以降の表示画像が何日目に撮影されたのかをユーザーに教えることができる。つまり、表示画像の観賞を妨げることなく各画像の撮影日をユーザーに教えることができる。また、デジタルカメラ１に限らず、一連の画像をパーソナルコンピュータ等によって表示させる場合についても同様の効果を得ることができる。
【００４９】
また、旅先等で撮影した一連の画像の先頭にも初日を示す栞画像Ｇ１を自動的に記録するため、一連の画像を表示するとき、先頭の画像Ｐについて、それが旅先等の初日に撮影されたことを明示的に教えることができる。
【００５０】
また、前述したように旅行モードの設定期間中には、全ての経過日数の栞画像が欠落させることなく作成され記録されるよため、旅先等で撮影された一連の画像を表示するとき、栞画像の欠落した場合により生ずる違和感をなくすことができる。
【００５１】
なお、本実施の形態では、前述した栞画像を作成して記録するタイミングを、旅行モードの設定期間中の各日において、その日の最初に電源が投入された時点としたが、最初の撮影操作があった時点としてもよい。
【００５２】
（実施形態２）
次に、本発明の第２の実施の形態について説明する。本実施の形態は、図１に示したデジタルカメラ１が有する内蔵フラッシュメモリ１０のプログラム領域に、前記ＣＰＵ２に後述する処理を行わせるためのプログラムが格納されているものである。
【００５３】
すなわち図４は、電源投入状態でＣＰＵ２が実行する本発明に係る処理の内容を示したフローチャートである。ＣＰＵ２は電源が投入されると、ユーザーの所定のキー操作によって旅行モードが設定されたか否かを確認する（ステップＳＢ１）。なお、本実施の形態においても、旅行モードは、第１の実施の形態と同様、ユーザーが必要に応じてその使用をオンオフ設定可能なモードであって、例えば旅行中での使用を意図して設けられているモードである。
【００５４】
そして、旅行モードの設定操作がなければ（ステップＳＢ１でＮＯ）、電源オフとなるまでは（ステップＳＢ２でＮＯ）、ＳＢ２の判断を繰り返す。なお、その間には他の処理が行われる。その後、いずれかの時点で旅行モードが設定されたら（ステップＳＢ１でＹＥＳ）、時計部１４に保持されている現在の日付を取得し、その日付データを初日情報として設定する。すなわち内蔵フラッシュメモリ１０のプログラム領域にその他の設定データと共に記憶し（ステップＳＢ３）、処理を終了する。また、旅行モードの設定の有無と関係なく電源オフにより（ステップＳＢ２でＹＥＳ）、処理を終了する。
【００５５】
また、図５は、前述した旅行モードがオン設定されている状態で、ユーザーにより記録モードが設定された後におけるＣＰＵ２の処理内容を示したフローチャートである。
【００５６】
以下説明すると、記録モードにあるときＣＰＵ２は、ユーザーによる撮影操作があると（ステップＳＢ１０１）、ＣＣＤ４による記録画像の撮像処理を行い、それにより取得した撮像データをＤＲＡＭ８に一時記憶する（ステップＳＢ１０２）。次に、時計部１４に保持されている現在の日付が撮影日として付加されている画像（画像ファイル）がメモリーカード１２に存在するか否かを確認することにより、ステップＳＢ１０１で確認した撮影操作が本日最初の撮影操作があるか否かを確認し、最初の撮影操作でなければ（ステップＳＢ１０３でＮＯ）、通常の記録モードと同様にＤＲＡＭ８に一時記憶した撮影画像のデータを圧縮してメモリーカード１２に記録する（ステップＳＢ１０９）。
【００５７】
一方、本日最初の撮影操作であったときには（ステップＳＢ１０３でＹＥＳ）、時計部１４に保持されている現在の日付と、設定されている初日情報とに基づいて、初日を算入した今日現在の経過日（ｎ日目）を計算した後（ステップＳＢ１０４）、メモリーカード１２における、初日を除く昨日まで（２日目〜（ｎ−１）日目）の各日に撮影（記録）された画像の有無を確認する（ステップＳＢ１０５）。
【００５８】
そして、上記各日について撮影された画像が存在する場合には（ステップＳＢ１０６でＮＯ）、直ちにＤＲＡＭ８に記憶されている撮像データ（画像データ）に基づき、その画像のコントラストを低減した画像に、今日現在の経過日（ｎ日目）の文字を重畳させた栞画像Ｇ１１，Ｇ１２，Ｇ１３（図６参照）を作成し、それを通常の撮影画像と同様にメモリーカード１２に記録する（ステップＳＢ１０８）。しかる後、ＤＲＡＭ８に一時記憶した撮像データを圧縮してメモリーカード１２に記録する（ステップＳＢ１０９）。
【００５９】
一方、ステップＳＢ１０６の判別結果がＹＥＳであって、画像の存在しない日がある場合には、画像の存在しない各日について、先に各々の経過日を示す１又は複数の栞画像Ｇ１２，Ｇ１３の画像データを作成し、それを通常の撮影画像と同様にメモリーカード１２に記録してから（ステップＳＢ１０７）、前述した今日現在の経過日の栞画像Ｇ１１，Ｇ１２，Ｇ１３の作成及び記録処理と、通常の撮影画像の記録処理とを順に実施する（ステップＳＢ１０８，ＳＢ１０９）。これ以後は、上記処理を繰り返し行う。
【００６０】
以上の処理により、旅行モードが設定された初日以降においては、その日の最初の撮影があった時点で、撮影画像に各経過日（初日、２日目、３日目、・・・）が重畳された栞画像Ｇ１１，Ｇ１２，Ｇ１３が自動的に作成されて記録される。また、例えは２日目、３日目に撮影が行われず、４日目に撮影が行われたような場合には、４日目の最初の撮影があった時点で、２日目と３日目といった経過日のみからなる２枚の栞画像が、撮影画像に４日目の文字が重畳された栞画像より先に自動的に作成されて記録されることとなる。また、それ以外の撮影時（各々の日の２回目以降の撮影時）には、通常通りに撮影された画像のみが記録される。
【００６１】
係ることから、旅行の初日にユーザーが旅行モードを設定しておけば、メモリーカード１２には、図６に示したように、旅行中に撮影された複数枚の撮影画像Ｐの間であって、各日の最初に撮影された画像の直前位置に、その日における初日からの経過日を示す栞画像Ｇ１１，Ｇ１２，Ｇ１３を自動的に挿入して記録させることができる。
【００６２】
したがって、本実施の形態においても、第１の実施の形態と同様に、ユーザーが旅先等で撮影した一連の画像を見るとき、には、表示画像の撮影日が切り替わる直前に表示される栞画像Ｇ１１，Ｇ１２，Ｇ１３によって、それ以降の表示画像が何日目に撮影されたのかをユーザーに教えることができる。つまり、表示画像の観賞を妨げることなく各画像の撮影日をユーザーに教えることができる。また、デジタルカメラ１に限らず、一連の画像をパーソナルコンピュータ等によって表示させる場合についても同様の効果を得ることができる。
【００６３】
また、一連の画像を表示するとき、先頭の画像Ｐについて、それが旅先等の初日に撮影されたことを明示的に教えることができるとともに、旅先等で撮影された一連の画像を表示するとき、栞画像の欠落した場合により生ずる違和感を無くすことができる。
【００６４】
ここで、以上説明した第１及び第２の実施の形態においては、旅行モードの設定期間中にメモリカード１２に記録する栞画像を随時作成するようにしたが、予め複数日分の経過日（ｎ日目）を示す栞画像を内蔵フラッシュメモリ１０等に記憶させておき、旅行モードの設定期間中には、必要とする経過日（ｎ日目）の栞画像を読み出してメモリカード１２に記録させるようにしてもよい。
【００６５】
（実施形態３）
次に、本発明の第３の実施の形態について説明する。本実施の形態は、図１に示したデジタルカメラ１が有する内蔵フラッシュメモリ１０のプログラム領域に、前記ＣＰＵ２に、先に図４に示したと同様の処理と、以下に説明する処理を行わせることにより、ＣＰＵ２を本発明の情報付加手段、情報取得手段、判別手段、日数取得手段、表示制御手段、画像処理手段として機能させるためのプログラムが格納されているものである。
【００６６】
すなわち図７は、前述した旅行モードがオン設定されている状態で、ユーザーにより記録モードが設定された後におけるＣＰＵ２の処理内容を示したフローチャートである。
【００６７】
以下説明すると、記録モードにあるときＣＰＵ２は、ユーザーによる撮影操作があると（ステップＳＣ１０１）、ＣＣＤ４による記録画像の撮像処理を行い、それにより取得した撮像データをＤＲＡＭ８に一時記憶する（ステップＳＣ１０２）。次に、時計部１４に保持されている現在の日付が撮影日として付加されている画像（画像ファイル）がメモリーカード１２に存在するか否かを確認することにより、ステップＳＣ１０１で確認した撮影操作が本日最初の撮影操作があるか否かを確認する（ステップＳＣ１０３）。ここで、最初の撮影操作でなければ（ステップＳＣ１０３でＮＯ）、通常の記録モードと同様にＤＲＡＭ８に一時記憶した撮影画像のデータを圧縮し、圧縮後の画像データに通常の撮影情報を付加した画像ファイルをメモリーカード１２に記録する（ステップＳＣ１０６）。
【００６８】
一方、ステップＳＣ１０１で確認した撮影操作が本日最初の撮影操作であったときには（ステップＳＣ１０３でＹＥＳ）、時計部１４に保持されている現在の日付と、設定されている初日情報とに基づいて、初日を算入した今日現在の経過日（ｎ日目）を計算する（ステップＳＣ１０４）。しかる後、ＤＲＡＭ８に一時記憶した撮影画像のデータを圧縮し、圧縮後の画像データに、前記経過日のデータ（以下、経過日データという）を含む撮影情報を付加した画像ファイルをメモリーカード１２に記録する（ステップＳＣ１０６）。これ以後は、上記処理を繰り返し行う。
【００６９】
また、図８は、前述した旅行モードがオン設定されている状態での再生モードにおいて、メモリーカード１２に記録されている任意の画像を表示するときＣＰＵ２が実行する画像表示処理の内容を示したフローチャートである。
【００７０】
以下説明すると、任意の画像を表示するときＣＰＵ２は、表示対象の画像ファイルをメモリーカード１２から読み出す（ステップＳＣ２０１）。次に、その画像ファイルに前述した経過日データが付加されているか否か、つまり撮影情報に経過日データが含まれているか否かを判別し、経過日データが付加されていなければ（ステップＳＣ２０２でＮＯ）、直ちに読み出した画像ファイルの画像データを伸張して、その画像を液晶モニタ９に表示する（ステップＳＣ２０５）。
【００７１】
これに対し、経過日データが付加されていたときには（ステップＳＣ２０２でＹＥＳ）、その経過日（初日、２日目、３日目等）を示す栞画像、すなわち本実施の形態では、第１の実施の形態で図３に示した栞画像Ｇ１，Ｇ２，Ｇ３と同様の画像を作成し（ステップＳＣ２０３）、係る栞画像を液晶モニタ９に一定時間表示した後（ステップＳＣ２０４）、表示対象の画像を液晶モニタ９に表示させる（ステップＳＣ２０５）。
【００７２】
以上のように、本実施の形態のデジタルカメラにおいては、ユーザーが旅行の初日に旅行モードを設定して旅行中に撮影を行っておき、かつユーザーが旅先等で撮影した一連の画像をデジタルカメラの液晶モニタ９の画面上に表示させるときには、旅行モードをオン設定すれば、キー操作により一連の画像を順送りで表示させる間、表示画像の撮影日が切り替わる直前に、栞画像が一定時間だけ自動的に表示される。したがって、係る栞画像（Ｇ２，Ｇ３）によって、それ以降の画像が何日目に撮影されたのかをユーザーに教えることができる。つまり、表示画像の観賞を妨げることなく各画像の撮影日をユーザーに教えることができる。
【００７３】
なお、本実施の形態では、一連の画像を順送りで表示させる間に経過日を示す栞画像（Ｇ２，Ｇ３）を作成して表示させるようにしたが、例えば栞画像を作成せずに、その後に表示する撮影画像に付加されている経過日データをＯＳＤ（On Screen Display）機能により一定時間表示させるようにしてもよい。
【００７４】
（実施形態４）
次に、本発明の第４の実施の形態について説明する。本実施の形態は、図１に示したデジタルカメラ１が有する内蔵フラッシュメモリ１０のプログラム領域に、第３の実施の形態と同様、前記ＣＰＵ２に前述した図４及び図７の処理を行わせるとともに、第３の実施の形態とは異なる以下の処理を行わせるためのプログラムが格納されているものである。
【００７５】
すなわち図９は、前述した旅行モードがオン設定されている状態での再生モードにおいて、メモリーカード１２に記録されている任意の画像を表示するときＣＰＵ２が実行する画像表示処理の内容を示したフローチャートである。
【００７６】
以下説明すると、任意の画像を表示するときＣＰＵ２は、表示対象の画像ファイルをメモリーカード１２から読み出す（ステップＳＤ２０１）。次に、その画像ファイルに前述した経過日データが付加されているか否か、つまり撮影情報に経過日データが含まれているか否かを判別し、経過日データが付加されていなければ（ステップＳＤ２０２でＮＯ）、直ちに読み出した画像ファイルの画像データを伸張して、その画像を液晶モニタ９に表示する（ステップＳＤ２０５）。
【００７７】
これに対し、経過日データが付加されていたときには（ステップＳＤ２０２でＹＥＳ）、表示対象の画像ファイルの画像データに基づき、その画像のコントラストを低減した画像に、その経過日（初日、２日目、３日目等）の文字を重畳させた画像、すなわち第２の実施の形態で図６に示した栞画像Ｇ１１，Ｇ１２，Ｇ１３と同様の画像を作成し（ステップＳＤ２０３）、係る栞画像を液晶モニタ９に一定時間表示した後（ステップＳＤ２０４）、表示対象の画像を液晶モニタ９に表示させる（ステップＳＤ２０５）。
【００７８】
したがって、本実施の形態のデジタルカメラ１においても、第３の実施の形態と同様、ユーザーが旅行の初日に旅行モードを設定して旅行中に撮影を行っておき、かつユーザーが旅先等で撮影した一連の画像をデジタルカメラの液晶モニタ９の画面上に表示させるときには、旅行モードをオン設定すれば、キー操作により一連の画像を順送りで表示させる間、表示画像の撮影日が切り替わる直前に、栞画像が一定時間だけ自動的に表示される。そのため係る栞画像（Ｇ２，Ｇ３）によって、それ以降の画像が何日目に撮影されたのかをユーザーに教えることができる。つまり、表示画像の観賞を妨げることなく各画像の撮影日をユーザーに教えることができる。
【００７９】
なお、本実施の形態では、旅行モードがオン設定されている状態での再生モードにおいて、一定時間表示する栞画像を、その後に表示する画像のコントラストを低減した（画像処理を施した）画像に、その経過日（初日、２日目、３日目等）の文字を重畳させた画像とし、それを随時作成するものとしたが、次のようにしてもよい。すなわち予め複数日分の経過日（ｎ日目）を示す栞画像を内蔵フラッシュメモリ１０等に記憶させておき、その後に表示する撮影画像に付加されている経過日データに対応する経過日（ｎ日目）の栞画像を読み出して一定時間表示させるようにしてもよい。
【００８０】
また、上述した第３及び第４の実施の形態のように、一連の記録画像を旅行モードで表示する時点で栞画像を作成する場合には、例えば以下のようにすることもできる。すなわち、旅行モードでの撮影時に記録する全ての撮影画像に、旅行モードで撮影されたことを示す撮影モードデータと、旅行初日の日付を示す初日データとを撮影情報として付加しておく。また、再生モードとして、旅行モードで撮影された画像のみを、撮影順（記録順）に連続して再生するモードを設けておく。そして、そのモードで画像を連続表示する際には、最初の画像、及び直前の表示画像と撮影日が異なる画像を表示するとき、それらの画像の表示に先立ち、それらの画像の撮影日と前記初日データとに基づき、初日を算入した経過日（ｎ日目）を計算し、計算した経過日を示す文字や栞画像、又は当該画像のコントラストを下げた画像に経過日を重畳させた栞画像を一定時間だけ表示させるようにしてもよい。
【００８１】
また、第３及び第４の実施の形態においては、旅行中に旅行モードが設定されていたとしても、例えば２日目に撮影が行われずに３日目や４日目に撮影が行われた場合においては、記録されている一連の画像を旅行モードで表示させるときには、３日目や４日目を示す栞画像を表示させることができないが、それを回避するには、例えば次のようにすればよい。すなわち上述した例のように再生時における旅行モードを、旅行モードで撮影された画像のみを、撮影順（記録順）に連続して再生するモードとし、その再生時には、任意の経過日の栞画像を表示させるとき、それに先立って、その経過日と、その直前に一定時間表示した栞画像の経過日とを比較し両者間に経過日の欠落分があるか否かを確認し、もし欠落分がある場合には、その分の栞画像（１又は複数）を事前に作成して一定時間表示させる処理を行わせればよい。
【００８２】
また、以上説明した第１〜第４の実施の形態では、栞画像に含まれる文字を、日程の日付（初日、２日目、・・・）としたが、予め旅行の日程において目的地が決まっている場合は、目的地の場所名等を入力させておき、日程の日付と場所名を栞画像の文字とすることもできる。図１０は、それを第１及び第３の実施の形態において行う場合における栞画像Ｇ１０１，Ｇ１０２，Ｇ１０３、図１１は、それを第２及び第４の実施の形態において行う場合における栞画像Ｇ１１１，Ｇ１１２，Ｇ１１３をそれぞれ例示した図である。
【００８３】
また、旅行モードがオン設定されたとき、その設定操作日を旅行１日目（初日）とするようにしたが、それを任意の日とするようにしてもよい。例えば旅行モードの設定操作時に、液晶モニター１１に、旅行１日目の日付の初期値として設定操作日が設定されている所定の設定画面を表示させ、その設定画面でユーザーが初期値を適宜変更することができるようにしてもよい。
【００８４】
また、第１及び第３の実施の形態においてメモリカード１２に一連の撮影画像の間に挿入して記録する栞画像や、第２及び第４の実施の形態において表示用に作成する栞画像は、フルサイズの画像である必要はなく、撮影画像よりも小さなサイズの画像とすることができる。
【図面の簡単な説明】
【００８５】
【図１】本発明の各実施の形態に共通するデジタルカメラのブロック図である。
【図２】第１の実施の形態における電源投入に伴う動作を示すフローチャートである。
【図３】同実施の形態で旅行モードの設定期間中に記録される栞画像と撮影画像、及びその記録順を示した図である。
【図４】第２〜第４の実施の形態に共通する電源投入状態での動作を示すフローチャートである。
【図５】同実施の形態における旅行モードの設定期間中の記録モードでの動作を示すフローチャートである。
【図６】同実施の形態で旅行モードの設定期間中に記録される栞画像と撮影画像、及びその記録順を示した図である。
【図７】第３及び第４の実施の形態に共通する旅行モードの設定期間中の記録モードでの動作を示すフローチャートである。
【図８】第３の実施の形態における旅行モードが設定された再生モードでの動作を示すフローチャートである。
【図９】第４の実施の形態における旅行モードが設定された再生モードでの動作を示すフローチャートである。
【図１０】第１及び第３の実施の形態に対応する他の栞画像の例を示した図である。
【図１１】第２及び第４の実施の形態に対応する他の栞画像の例を示した図である。
【符号の説明】
【００８６】
２    ＣＰＵ
４    ＣＣＤ
８    ＤＲＡＭ
９    液晶モニタ
１０    内蔵フラッシュメモリ
１１    カードインターフェース
１２    メモリーカード
１４    時計部
【図１】
0004735151.tif 000002
【図２】
0004735151.tif 000003
【図３】
0004735151.tif 000004
【図４】
0004735151.tif 000005
【図５】
0004735151.tif 000006
【図６】
0004735151.tif 000007
【図７】
0004735151.tif 000008
【図８】
0004735151.tif 000009
【図９】
0004735151.tif 000010
【図１０】
0004735151.tif 000011
【図１１】
0004735151.tif 000012